(57)【要約】【課題】十分な振幅による振動マッサージを受けることができるマッサージ機を得る。【解決手段】偏芯重り８を回転駆動するモータ６により振動を発生させる振動源１を弾性体１２を介してフレーム１４に取り付けて、クッション体４内に配置した。振動源１は、偏芯重り８とモータ６とを収納するケース１０を備え、ケース１０を弾性体１２を介してフレーム１４に取り付けた。弾性体１２は、略Ｕ字状の板ばね、あるいは略Ｖ字状の板ばねでもよい。振動源１は、クッション体４に形成された収納孔２８内に収納した。ケース１０には、突部１０ｃを形成し、突部１０ｃをクッション体４から露出させた。【選択図】  図４
2005261589.tif 000002
【特許請求の範囲】
【請求項１】
偏芯重りを回転駆動するモータにより振動を発生させる振動源を弾性体を介してフレームに取り付けて、クッション体内に配置したことを特徴とするマッサージ機。
【請求項２】
前記振動源は、前記偏芯重りと前記モータとを収納するケースを備え、該ケースを前記弾性体を介して前記フレームに取り付けたことを特徴とする請求項１に記載のマッサージ機。
【請求項３】
前記弾性体は、略Ｕ字状の板ばね、あるいは略Ｖ字状の板ばねであることを特徴とする請求項１又は請求項２に記載のマッサージ機。
【請求項４】
前記振動源は、前記クッション体に形成された収納孔内に収納されたことを特徴とする請求項１ないし請求項３に記載のマッサージ機。
【請求項５】
前記ケースには、突部を形成し、該突部を前記クッション体から露出させたことを特徴とする請求項２に記載のマッサージ機。
【発明の詳細な説明】
【技術分野】
【０００１】
本発明は、クッション体内に振動源を収納して、振動マッサージを施すことができるマッサージ機に関する。
【背景技術】
【０００２】
従来より、クッション体内に振動源を収納して、振動マッサージを施すことができるマッサージ機として、特許文献１にあるように、偏芯重りを取り付けたモータをブラケットに取り付け、このブラケットを金属製の取付板にネジにより取り付けている。そして、ブラケットと取付板とを囲むように、クッション体を接着剤により接着していた。
【特許文献１】特開平９−２１５７２２号公報
【発明の開示】
【発明が解決しようとする課題】
【０００３】
こうした従来のものでは、マッサージ機を椅子や座席に沿わせて置き、使用者の患部をマッサージ機に当てた際に、振動源が椅子や座席と患部との間にクッション体を介して挟まれるので、振動の十分な振幅が得られず、好適な振動マッサージが受けられない場合があるという問題があった。
【０００４】
本発明の課題は、十分な振幅による振動マッサージを受けることができるマッサージ機を提供することにある。
【課題を解決するための手段】
【０００５】
かかる課題を達成すべく、本発明は課題を解決するため次の手段を取った。即ち、
偏芯重りを回転駆動するモータにより振動を発生させる振動源を弾性体を介してフレームに取り付けて、クッション体内に配置したことを特徴とするマッサージ機がそれである。前記振動源は、前記偏芯重りと前記モータとを収納するケースを備え、該ケースを前記弾性体を介して前記フレームに取り付けた構成でもよい。また、前記弾性体は、略Ｕ字状の板ばね、あるいは略Ｖ字状の板ばねであることが好ましい。更に、前記振動源は、前記クッション体に形成された収納孔内に収納された構成でもよい。前記ケースには、突部を形成し、該突部を前記クッション体から露出させるとよい。
【発明の効果】
【０００６】
前述したように本発明のマッサージ機は、振動源が弾性体により支えられているので、十分な振幅が得られる振動マッサージを受けることができるという効果を奏する。
【発明を実施するための最良の形態】
【０００７】
以下本発明を実施するための最良の形態を図面に基づいて詳細に説明する。
図１に示すように、１は振動源で、２は叩き源であり、振動源１と叩き源２とは、共に、クッション体４の内部に配置されており、本実施形態では、振動源１が２つ、叩き源２が２つ配置されている。また、これら２つずつの振動源１と叩き源２とは一列に並べて配置され、２つの振動源１が外側に、２つの叩き源２が内側に配置されている。
【０００８】
図２、図４に示すように、振動源１はモータ６と、モータ６に取り付けられた偏芯重り８とを備え、これらはケース１０内に収納されている。ケース１０は、上ケース１０ａと下ケース１０ｂとに分割されており、上ケース１０ａと下ケース１０ｂとを重ね合わせることにより、モータ６が内部に収納されると共に、ゴムスペーサ１０ｄを介してケース１０内に固定される。また、上ケース１０ａには、突部１０ｃが形成されている。
【０００９】
ケース１０には、偏芯重り８と反対側の外側に略Ｕ字状に折り曲げられた板ばねを用いた弾性体１２の一端がビス１３により取り付けられており、弾性体１２の他端は、水平に折り曲げられて、平板状のフレーム１４にビス１５により取り付けられている。
【００１０】
弾性体１２のＵ字状に折り曲げられた箇所は、弾性変形しやすく、この弾性体１２の弾性変形により、ケース１０の突部１０ｃが平板状のフレーム１４に対して略直交方向（図４の矢印方向）に大きな振幅で振動できるように構成されている。図５に示すように、偏芯重り８は、モータ６の回転軸６ａを中心とした円形のフライホイール部８ａと、フライホイール部８ａ上に設けられた偏芯部８ｂとを備えている。
【００１１】
図１に示すように、フレーム１４は平行に並べられた２つの横板状ばね体１４ａと、この横板状ばね体１４ａの中央側で掛け渡された２つの縦板状体１４ｂとを備え、フレーム１４が平板状に形成されている。横板状ばね体１４ａは板ばねにより形成されており、縦板状体１４ｂは鉄板等から形成されている。
【００１２】
弾性体１２の他端は、２つの横板状ばね体１４ａの一方に、かつ縦板状体１４ｂよりも外側に取り付けられている。縦板状体１４ｂには、そのほぼ中央にそれぞれ叩き源２が取り付けられている。叩き源２は、図３に示すように、縦板状体１４ｂに取り付けられたソレノイド１６を備え、ソレノイド１６を励磁するとプランジャー１８が押し出される。
【００１３】
プランジャー１８の先端には、叩きホルダー２０が装着されており、叩きホルダー２０とソレノイド１６側に設けられたばね受け２２との間に設けられたコイルスプリング２４により、プランジャー１８が突き出し方向に付勢されている。プランジャー１８の往復動方向は、平板状のフレーム１４に対して略直交方向となるように配置されている。尚、叩きホルダー２０の表面には、叩きクッション２６が取り付けられている。
【００１４】
フレーム１４は、受けクッション体４ａ上に配置されており、受けクッション体４ａは取付クッション体４ｂ上に配置されている。受けクッション体４ａと取付クッション体４ｂとにはケース１０とソレノイド１６とを収納する収納孔２８が形成されている。収納孔２８は、ケース１０を収納した際に、ケース１０との間に十分な隙間ができる大きさに形成されている。そして、受けクッション体４ａと取付クッション体４ｂを取り囲むようにして巻きクッション体４ｃが設けられており、振動源１の突部１０ｃと叩き源２の叩きクッション２６とがクッション体４の外側に露出するようにされている。
【００１５】
本実施形態では、受けクッション体４ａ、取付クッション体４ｂ、巻きクッション体４ｃによりクッション体４を構成している。クッション体４の硬さは、使用者の荷重が加わった場合に、クッション体４の潰れにより、収納孔２８が変形しても、ケース１０にクッション体４が接触して、ケース１０の振動を抑制しないように、クッション体４とケース１０との間に隙間が維持できる程度が好ましい。クッション体４内には、制御装置３０やトランス３２が収納されており、更に、クッション体４はカバー３４により全体が覆われている。
【００１６】
次に、前述した本実施形態のマッサージ機の作動について説明する。
電源が投入されると、モータ６が回転駆動されて、偏芯重り８が回転駆動され、また、ソレノイド１６が励磁・非励磁を繰り返され、プランジャー１８が直線的に往復運動される。偏芯重り８の回転により、モータ６を介してケース１０が振動し、弾性体１２に支えられたケース１０が振動して、突部１０ｃを患部に当てることにより、振動マッサージを受けることができる。
【００１７】
即ち、モータ６による偏芯重り８の回転により、起振力が発生し、モータ６を介してケース１０が振動する。ケース１０は弾性体１２により支えられているので、特に、本実施形態では略Ｕ字状の弾性体１２により支えられているので、ケース１０が大きな振幅で振動する。よって、使用者は、打撃力のある好適な振動マッサージを受けることができる。
【００１８】
また、マッサージ機を椅子や座席に沿って置いた場合には、マッサージ機が椅子や座席に沿ってクッション体４やフレーム１４が変形すると共に、使用者の身体に沿って変形する。そのような場合でも、収納孔２８が大きく変形して、クッション体４がケース１０に接触して、振動を抑制することがない。
【００１９】
本実施形態では、偏芯重り８は、フライホイール部８ａを備えているので、モータ６の回転数が低い場合でも、フライホイール効果により回転数の変動を小さくでき、十分な振動力を得ることができる。また、使用時にコイルスプリング２４が使用者の患部に押されて縮み、ソレノイド１６を励磁すると、プランジャー１８が押し出されて、叩きホルダー２０、叩きクッション２６が突き出される。ソレノイド１６を非励磁にすると、患部に押されてコイルスプリング２４が縮み、プランジャー１８が引き込まれる。このプランジャー１８の往復運動により、叩きホルダー２０が往復運動をして、叩きホルダー２０により叩きマッサージを受けることができる。
【００２０】
以上本発明はこの様な実施形態に何等限定されるものではなく、本発明の要旨を逸脱しない範囲において種々なる態様で実施し得る。
【図面の簡単な説明】
【００２１】
【図１】本発明の一実施形態としてのマッサージ機の上側のクッション体を取り除いた正面図である。
【図２】図１のＡＡ拡大断面図である。
【図３】図１のＢＢ拡大断面図である。
【図４】本実施形態の振動源の拡大断面図である。
【図５】本実施形態の偏芯重りの拡大正面図である。
【符号の説明】
【００２２】
１…振動源              ２…叩き源
４…クッション体        ４ａ…受けクッション体
４ｂ…取付クッション体  ４ｃ…巻きクッション体
６…モータ              ８…偏芯重り
１０…ケース            １０ｃ…突部
１２…弾性体            １４…フレーム
１４ａ…横板状ばね体    １４ｂ…縦板状体
１６…ソレノイド        １８…プランジャー
２０…叩きホルダー      ２４…コイルスプリング
２８…収納孔            ３４…カバー
【図１】
2005261589.tif 000003
【図２】
2005261589.tif 000004
【図３】
2005261589.tif 000005
【図４】
2005261589.tif 000006
【図５】
2005261589.tif 000007